(57)【要約】【課題】  ドレン排水案内構造の汎用性、施工性を高める。【解決手段】  部材長手方向に延びる排水案内溝６を形成した帯状部材７を下向き施設のドレン管４の下方に位置させる配置で床面３ａ上に敷設し、ドレン管４の管端部４ａをアダプタ部材９により帯状部材７に連結して排水案内溝６への排水姿勢に固定するドレン排水案内構造において、アダプタ部材９のドレン管側の連結手段として、平面視の断面形状が周方向の一部に装着用開口を形成した一部欠損の環状で、ドレン管４における縦姿勢の管端部４ａに対し管径方向の外側から装着用開口を通じて外嵌状に装着する構造の管側連結部をアダプタ部材９に形成する。【選択図】        図１
2005213936.tif 000002
【特許請求の範囲】
【請求項１】
部材長手方向に延びる排水案内溝を形成した帯状部材を下向き施設のドレン管の下方に位置させる配置で床面上に敷設し、
前記ドレン管の管端部をアダプタ部材により前記帯状部材に連結して前記排水案内溝への排水姿勢に固定するドレン排水案内構造であって、
前記アダプタ部材のドレン管側の連結手段として、平面視の断面形状が周方向の一部に装着用開口を形成した一部欠損の環状で、前記ドレン管における縦姿勢の管端部に対し管径方向の外側から前記装着用開口を通じて外嵌状に装着する構造の管側連結部を前記アダプタ部材に形成してあるドレン排水案内構造。
【請求項２】
前記ドレン管の縦姿勢管端部から下向きに排出される排出水をその流下過程で前記排水案内溝の長手方向に沿う向きに変向案内して前記排水案内溝に流入させる流出案内部を前記アダプタ部材に形成してある請求項１記載のドレン排水案内構造。
【請求項３】
前記アダプタ部材の帯状部材側の連結手段として、前記管側連結部を上部に位置させる使用姿勢にして前記アダプタ部材を前記帯状部材の上に置いた状態で、そのアダプタ部材を前記管側連結部の縦向き中心軸芯周りに回転させることにより、前記帯状部材の側の連結用係合部に対して係合連結状態となる構造の溝側連結部を前記アダプタ部材の下部に形成してある請求項１又は２記載のドレン排水案内構造。
【請求項４】
前記帯状部材の側の連結用係合部として、前記帯状部材における前記排水案内溝の両側壁部の夫々に前記排水案内溝の内方に向かって開口する係合用凹部を形成し、
前記溝側連結部を、前記アダプタ部材の台座部として前記排水案内溝の溝底に着底させる着底部と、その着底部の両側縁に形成した係止片部とを備える構造で、前記着底部を前記排水案内溝の溝底に着底させた状態において前記係止片部を前記着底部とともに前記排水案内溝の溝内で前記縦向き中心軸芯周りに回転させることにより、前記係止片部を前記排水案内溝の両側壁部における前記係合用凹部の各々に係入させる構造にしてある請求項３記載のドレン排水案内構造。
【請求項５】
前記帯状部材の側の連結用係合部を帯状部材長手方向に連続させた状態又は帯状部材長手方向に複数並べた状態で前記帯状部材に形成して、その連結用係合部に対し前記溝側連結部を係合させる位置の選択が帯状部材長手方向において可能な構造にしてある請求項３又は４記載のドレン排水案内構造。
【発明の詳細な説明】
【技術分野】
【０００１】
本発明は、セパレート型エアコンにおける室内機からのドレン排水など、ドレン管を通じて排出される水をベランダ床面上や犬走床面上などにおいて所定の排水先に案内するドレン排水案内構造に関し、
詳しくは、部材長手方向に延びる排水案内溝を形成した帯状部材を下向き施設のドレン管の下方に位置させる配置で床面上に敷設し、前記ドレン管の管端部をアダプタ部材により前記帯状部材に連結して前記排水案内溝への排水姿勢に固定するドレン排水案内構造に関する。
【背景技術】
【０００２】
従来、上記の如きドレン排水案内構造においては、図９，図１０に示す如く、建屋の外壁などに沿わせて下向きに施設されたドレン管４の管端部４ａを上記排水案内溝６への排水姿勢に固定するアダプタ部材９′として、正面視の断面形状が下向き開口の「コ」の字状で、その上壁部９ｍに形成した挿入孔ｘにドレン管４の管端部４ａを縦姿勢で挿入し、そして、両側壁部９ｎの下端に形成した係合片ｙを帯状部材７の側の連結用係合溝ｚに係合させることで帯状部材７に連結固定する構造の部材を用いていた（下記特許文献１参照）。
【０００３】
また、他の構造のものとして図１１に示す如く、正面視で上向き開口「Ｃ」字状の断面形状にした管連結部９Ｘとその下部に設けた台座部９Ｙとからなる構造で、下向きに施設されたドレン管４の管端部４ａを横向きに屈曲させて上向き開口「Ｃ」字状断面形状の管連結部９Ｘに対し横向き姿勢で内嵌状に挿入し、そして、台座部９Ｙを帯状部材７における排水案内溝６の溝底６ｂに接着することで帯状部材７に対し連結固定する構造にしたアダプタ部材９″もあった。
【特許文献１】意匠登録第１０６１８９４号公報
【発明の開示】
【発明が解決しようとする課題】
【０００４】
しかし、上記従来構造のうち前者のものについては（図９，図１０）、先端が床面近くに位置する下向き施設のドレン管４の管端部４ａをアダプタ部材９′の上壁部９ｍにおける挿入孔ｘに挿入する際に、その挿入操作上、ドレン管４の管端部４ａを一時的にせよ屈曲させなければならず、また、上記従来構造のうち後者のものについては（図１１）、正面視断面形状が上向き開口「Ｃ」字状の管連結部９Ｘに対しドレン管４の管端部４ａを横向き姿勢で挿入することにおいて、下向き施設のドレン管４の管端部４ａを横向きに屈曲させる必要があり、この為、上記いずれの従来構造にしても、ドレン管４が樹脂製の蛇腹管などの屈曲自在な管の場合には問題がないものの、ドレン管４が塩ビ管などの屈曲が難しい硬管の場合には、ドレン管４の管端部４ａに対するアダプタ部材９′，９″の装着が難しく、この点、汎用性、施工性の面で未だ改善の余地があった。
【０００５】
この実情に鑑み、本発明の主たる課題は、合理的な改良により上記の如き問題を効果的に解消する点にある。
【課題を解決するための手段】
【０００６】
〔１〕本発明の第１特徴構成は、部材長手方向に延びる排水案内溝を形成した帯状部材を下向き施設のドレン管の下方に位置させる配置で床面上に敷設し、
前記ドレン管の管端部をアダプタ部材により前記帯状部材に連結して前記排水案内溝への排水姿勢に固定するドレン排水案内構造において、
前記アダプタ部材のドレン管側の連結手段として、平面視の断面形状が周方向の一部に装着用開口を形成した一部欠損の環状で、前記ドレン管における縦姿勢の管端部に対し管径方向の外側から前記装着用開口を通じて外嵌状に装着する構造の管側連結部を前記アダプタ部材に形成してあることにある。
【０００７】
つまり、この第１特徴構成によれば、アダプタ部材におけるドレン管側連結手段としての上記管側連結部を、下向き施設のドレン管における縦姿勢の管端部に対し管径方向の外側から装着用開口を通じて外嵌状に装着するから（換言すれば、管側連結部の装着用開口に対しドレン管の管端部を縦姿勢で通過させる形態でその縦姿勢の管端部に対し一部欠損環状の管側連結部を外嵌状に装着するから）、その装着によりドレン管の管端部にアダプタ部材を連結することにおいて、下向き施設のドレン管の管端部を屈曲させる必要がなく、また、ドレン管支持壁などとの関係で上記装着においてドレン管の管端部を多少屈曲させる必要があったとしても、先述の如き従来構造に比べその屈曲度合いは小さいもので済み、これにより、ドレン管が屈曲自在な管あるいは屈曲が難しい管のいずれの場合についても、ドレン管の管端部に対しアダプタ部材を容易に連結することができて、先述の従来構造に比べ汎用性、施工性を高めることができる。
【０００８】
なお、第１特徴構成の実施にあたり、上記管側連結部は、ドレン管における縦姿勢の管端部に外嵌状に装着した状態において管側連結部自身の弾性力によりドレン管の管端部に固定する構造、あるいは、ドレン管における縦姿勢の管端部に外嵌状に装着した状態において付帯の固定具によりドレン管の管端部に固定する構造のいずれの構造にしてもよい。
【０００９】
また、第１特徴構成の実施において、管側連結部は、ドレン管の管端部に対する装着操作を一層容易にする上で、その縦向き中心軸芯（ドレン管の管芯）周りでの融通的な回転や、その縦向き中心軸芯方向への融通的な摺動が可能な状態でドレン管の縦姿勢管端部に装着する構造にしておくのが望ましい。
【００１０】
第１特徴構成の実施において、アダプタ部材の帯状部材側の連結手段については、ドレン管の管端部に対する管側連結部の上記の如き装着操作を可能にし得る構造であれば、種々の連結構造を採用することができる。
【００１１】
〔２〕本発明の第２特徴構成は、前記第１特徴構成の実施において、
前記ドレン管の縦姿勢管端部から下向きに排出される排出水をその流下過程で前記排水案内溝の長手方向に沿う向きに変向案内して前記排水案内溝に流入させる流出案内部を前記アダプタ部材に形成してあることにある。
【００１２】
つまり、この第２特徴構成によれば、前述の如く下向き施設のドレン管の管端部を屈曲させない形態を採りながらも、アダプタ部材に形成の上記流出案内部による案内によりドレン管からの排出水を飛散などの無い状態で円滑に帯状部材の排水案内溝へ流入させることができ、この点、前述の第１特徴構成の実施において管側連結部を装着したドレン管の縦姿勢管端部から排出される水を単純に下向きに落下させて帯状部材の排水案内溝に流入させる形態を採るに比べ、ドレン管からの排出水に対する案内機能を一層高めることができる。
【００１３】
なお、前述の第１特徴構成の実施において管側連結部をその縦向き中心軸芯周りでの回転が可能な状態でドレン管の縦姿勢管端部に装着する構造、あるいは、アダプタ部材において管側連結部の縦向き中心軸芯周りでの管側連結部と上記流出案内部との相対回転を可能にする構造を採れば、上記第２特徴構成の実施において、流出案内部からの排水流出における流出向きの調整を容易にすることができる。
【００１４】
〔３〕本発明の第３特徴構成は、前記第１又は第２特徴構成の実施において、
前記アダプタ部材の帯状部材側の連結手段として、前記管側連結部を上部に位置させる使用姿勢にして前記アダプタ部材を前記帯状部材の上に置いた状態で、そのアダプタ部材を前記管側連結部の縦向き中心軸芯周りに回転させることにより、前記帯状部材の側の連結用係合部に対して係合連結状態となる構造の溝側連結部を前記アダプタ部材の下部に形成してあることにある。
【００１５】
つまり、この第３特徴構成によれば、アダプタ部材を管側連結部が上部に位置する使用姿勢して帯状部材の上に置いた状態で、そのアダプタ部材を管側連結部の縦向き中心軸芯周りに回転させれば、上記溝側連結部と帯状部材側の連結用係合部との係合連結によりアダプタ部材を帯状部材に対して連結することができ、これにより、前述の如く管側連結部をドレン管の管端部に対しその管端部の屈曲を要することなく容易に装着し得ることと相まって、施工性を一層高めることができる。
【００１６】
なお、第３特徴構成の実施においては、アダプタ部材の上記回転操作を一層容易にする上で、前述の第１特徴構成の実施において管側連結部をその縦向き中心軸芯周りでの回転が可能な状態でドレン管の縦姿勢管端部に装着する構造にしておくのが望ましく、また、この第３特徴構成の実施において前述の第２特徴構成を併行実施する場合は、アダプタ部材を帯状部材の上に置いた状態で管側連結部の縦向き中心軸芯周りに回転させて帯状部材に連結した状態において、前記流出案内部からの水の流出向きが排水案内溝の長手方向（換言すれば、帯状部材の長手方向）に沿う向きとなるようにしておくのが望ましい。
【００１７】
〔４〕本発明の第４特徴構成は、前記第３特徴構成の実施において、
前記帯状部材の側の連結用係合部として、前記帯状部材における前記排水案内溝の両側壁部の夫々に前記排水案内溝の内方に向かって開口する係合用凹部を形成し、
前記溝側連結部を、前記アダプタ部材の台座部として前記排水案内溝の溝底に着底させる着底部と、その着底部の両側縁に形成した係止片部とを備える構造で、前記着底部を前記排水案内溝の溝底に着底させた状態において前記係止片部を前記着底部とともに前記排水案内溝の溝内で前記縦向き中心軸芯周りに回転させることにより、前記係止片部を前記排水案内溝の両側壁部における前記係合用凹部の各々に係入させる構造にしてあることにある。
【００１８】
つまり、この第４特徴構成によれば、帯状部材における排水案内溝の両側壁部を利用してアダプタ部材を帯状部材に連結する形態となることから、例えば、前記第３特徴構成の実施にあたり帯状部材の側の連結用係合部として排水案内溝の側壁部とは異なる箇所に専用の係合部を設けるに比べ、帯状部材の構造を簡略にすることができ、その分、製作コストを安価にすることができる。
【００１９】
〔５〕本発明の第５特徴構成は、前記第３又は第４特徴構成の実施において、
前記帯状部材の側の連結用係合部を帯状部材長手方向に連続させた状態又は帯状部材長手方向に複数並べた状態で前記帯状部材に形成して、その連結用係合部に対し前記溝側連結部を係合させる位置の選択が帯状部材長手方向において可能な構造にしてあることにある。
【００２０】
つまり、この第５特徴構成によれば、帯状部材側の連結用係合部に対し溝側連結部を係合させる位置（すなわち、帯状部材に対するアダプタ部材の連結位置）を帯状部材の長手方向において選択し得ることから、帯状部材を敷設箇所に応じ適当な長さに切断して使用するといった施工形態においても、その切断した帯状部材に対するアダプタ部材の連結を前記第３ないし第４特徴構成の利点を活かした状態で容易かつ適切に行うことができ、これにより、施工性を一層高めることができる。
【発明を実施するための最良の形態】
【００２１】
図１はマンションなどにおけるベランダ部分の建屋外壁を示し、この外壁１には、室内に設置されたエアコン室内機２から外壁貫通させてベランダ３の側に引き出したドレン管４を壁面に沿わせる状態で下向きに施設してあり、そのドレン管４の管端部４ａはベランダ床面３ａと外壁１とのコーナー部分に位置させてある。なお、５は下向き施設のドレン管４を外壁１に連結固定する固定具である。
【００２２】
一方、ベランダ３の床面３ａには、部材長手方向に延びる排水案内溝６を上面側に形成した図６に示す如き断面形状の帯状部材７を、その一端部がドレン管４の管端部４ａの下方に位置し、かつ、他端部がベランダ３の排水溝８に至る状態に配置して敷設状に設置してあり、この帯状部材７の排水案内溝６によりドレン管４からの排出水（すなわち、本例ではエアコン室内機２において生じる結露水）をベランダ３の排水溝８に導くようにしてある。
【００２３】
９はドレン管４の管端部４ａを帯状部材７に連結して排水案内溝６への排水姿勢に固定するアダプタ部材であり、図２〜図５に示す如く、このアダプタ部材９はドレン管４の管端部４ａに対する連結手段としての管側連結部９Ａ、ドレン管４からの排出水に対する案内手段としての流出案内部９Ｂ、及び、帯状部材７に対する連結手段としての溝側連結部９Ｃを備えるものにしてある。
【００２４】
アダプタ部材９の管側連結部９Ａはアダプタ部材９の上端部に形成してあり、その構造は、平面視の断面形状が周方向の一部に装着用開口１０を形成した「Ｃ」字状ないし「Ｕ」字状で、下向きに施設されたドレン管４における縦姿勢の管端部４ａに対し管径方向の外側から装着用開口１０を通じて外嵌状に装着する構造にしてある。
【００２５】
また、管側連結部９Ａの「Ｃ」字状ないし「Ｕ」字状断面形状における両開口縁部１１は、アダプタ部材９に形成した切欠き１２により舌片状にして管径方向への弾性変形を可能にしてあり、これにより、ドレン管４の縦姿勢管端部４ａに対する管側連結部９Ａの装着にあたっては、ドレン管４の縦姿勢管端部４ａにおける外周面を舌片状の両開口縁部１１の内側に当接させて両開口縁部１１を押し広げながらドレン管４の縦姿勢管端部４ａを装着用開口１０に通過させる形態で、管側連結部９Ａをドレン管４の縦姿勢管端部４ａに対し外嵌状に装着する。
【００２６】
そして、その装着状態においては、舌片状の両開口縁部１１による弾性挟持により管側連結部９Ａをドレン管４の縦姿勢管端部４ａに対し、管側連結部９Ａの縦向き中心軸芯Ｐ（ドレン管４の管芯）周りでの融通的な回転、及び、その縦向き中心軸芯Ｐ方向での融通的な摺動が可能な状態に固定し、これにより、それら融通的な回転及び摺動が可能な状態でアダプタ部材９をドレン管４の縦姿勢管端部４ａに連結する構造にしてある。
【００２７】
アダプタ部材９の流出案内部９Ｂは、管側連結部９Ａと同じ向きの「Ｃ」字状ないし「Ｕ」字状の平面視断面形状で管側連結部９Ａから下方に延びる縦樋部分１３と、その縦樋部分１３の下端から管側連結部９Ａにおける装着用開口１０の開口向きで斜め下向きに延びる上向き開口「Ｃ」字状ないし上向き開口「Ｕ」字状断面形状の斜め樋部分１４とからなる側面視「Ｌ」字状の樋構造にしてあり、これら縦樋部分１３及び斜め樋部分１４により、管側連結部９Ａを装着したドレン管４の縦姿勢管端部４ａから下向きに排出される水を排水案内溝６の長手方向に沿う方向に変向案内して、帯状部材７の排水案内溝６へ円滑に流入させる。
【００２８】
一方、アダプタ部材９の溝側連結部９Ｃは、流出案内部９Ｂにおける斜め樋部分１４の下面から下方に延びる脚部１５と、アダプタ部材９の台座部として管側連結部９Ａと同芯状の配置で脚部１５の下端に設けた水平姿勢の板状着底部１６と、その板状着底部１６の両側縁に形成した一対の係止片部１７とからなり、これに対し、帯状部材７には、アダプタ部材９の溝側連結部９Ｃに対する帯状部材側の連結用係合部として、排水案内溝６の内方に向かって開口する係合用凹部１８を帯状部材７の全長にわたる溝構造にして排水案内溝６の両側壁部６ａに形成してある。
【００２９】
つまり、アダプタ部材９の溝側連結部９Ｃについては、アダプタ部材９を管側連結部９Ａが上部に位置する使用姿勢にして板状着底部１６を帯状部材７における排水案内溝６の溝底６ｂに着底させる形態でアダプタ部材９を帯状部材７の上に置き、その状態で、アダプタ部材９を管側連結部９Ａの縦向き中心軸芯Ｐ周りで回転させることにより、係止片部１７を板状着底部１６とともに排水案内溝６の溝内で回転させて排水案内溝６の両側壁部６ａにおける係合用凹部１８の各々に係入させ、この係入によりアダプタ部材９を帯状部材７に連結する構造にしてある。
【００３０】
また、板状着底部１６に形成する一対の係止片部１７は、管側連結部９Ａにおける装着用開口１０の開口向きに対し平面視で直交する方向での板状着底部１６の両側縁に形成してあり、これにより、建屋外壁１に対する対向面視でドレン管４の縦姿勢管端部４ａに対しその横側方から管側連結部９Ａを外嵌状に装着した後、前記の融通的摺動によりアダプタ部材９を若干下降させて板状着底部１６を排水案内溝６の溝底６ｂに着底させ、その状態で、管側連結部９Ａの装着用開口１０が反外壁向きとなる前向き姿勢（すなわち、流出案内部９Ｂからの水の流出向きが排水案内溝６の長手方向に沿う向きとなる姿勢）までアダプタ部材９を前記縦向き中心軸芯Ｐ周りで回転させることで、板状着底部１６における各係止片部１７が帯状部材側の係合用凹部１８に係入して、帯状部材７に対するアダプタ部材９の連結が完了するようにしてあり、さらに、板状着底部１６における各係止片部１７には、帯状部材側の係合用凹部１８の底との接当により上記回転操作の際のアダプタ部材９の行き過ぎの回転を防止するストッパ部１７ａを形成してある。
【００３１】
なお、帯状部材側の係合用凹部１８は帯状部材７の全長にわたる溝構造にしてあることから、その係合用凹部１８に対して溝側連結部９Ｃの係止片部１７を係合させる位置（すなわち、帯状部材７に対するアダプタ部材９の連結位置）は帯状部材７の長手方向において任意に選択することができ、これにより、帯状部材７を敷設箇所に応じ適当な長さに切断して使用するといった施工形態においても、その切断した帯状部材７に対するアダプタ部材９の連結を上記の如き操作形態をもって容易かつ適切に行えるようにしてある。
【００３２】
〔別の実施形態〕
次に本発明の別実施形態を列記する。
【００３３】
前述の実施形態のアダプタ部材９では、弾性変形可能な舌片状の開口縁部１１を備える平面視「Ｃ」字状ないし「Ｕ」字状の断面形状の管側連結部９Ａと、流出案内部９Ｂの斜め樋部分１４との間に流出案内部９Ｂの縦樋部分１３を介在させる構造にしたが、これに代え、図７，図８に示す如く、弾性変形可能な舌片状の開口縁部１１を備える平面視「Ｃ」字状ないし「Ｕ」字状の断面形状の管側連結部９Ａを高さ寸法（管芯方向における長さ寸法）の大きなものにして、管側連結部９Ａを流出案内部９Ｂの縦樋部分１３としても兼用化した状態で、その管側連結部９Ａの下端から流出案内部９Ｂの斜め樋部分１４を延設する構造にしてもよい。
【００３４】
前述の実施形態では、アダプタ部材９における管側連結部９Ａの平面視断面形状を「Ｃ」字状ないし「Ｕ」字状にしたが、管側連結部９Ａの平面視断面形状は、周方向の一部に装着用開口１０を形成した一部欠損の環状であれば、「Ｃ」字状や「Ｕ」字状に限られるものではなく、場合によっては、「コ」の字状などであってもよい。
【００３５】
前述の実施形態では、ドレン管４の縦姿勢管端部４ａに対し外嵌状に装着した管側連結部９Ａを、一部欠損環状の断面形状における両開口縁部１１の弾性力によりドレン管４の縦姿勢管端部４ａに固定するようにしたが、場合によっては、ドレン管４の縦姿勢管端部４ａに対し外嵌状に装着した管側連結部９Ａを付帯の固定具によりドレン管４の縦姿勢管端部４ａに固定する構造にしてもよい。
【００３６】
前述の実施形態では、アダプタ部材９に形成した流出案内部９Ｂによりドレン管４からの下向き排出水を排水案内溝６の長手方向に沿う向きに案内して帯状部材７の排水案内溝６に流入させる構造にしたが、場合によっては、この流出案内部９Ｂを省略して、管側連結部９Ａを装着したドレン管４の縦姿勢管端部４ａから下向きに流出する水をそのまま帯状部材７の排水案内溝６に流入させる構造にしてもよい。
【００３７】
また、アダプタ部材９に流出案内部９Ｂを形成する場合、その流出案内部９Ｂの具体的構造は、前述の実施形態で示した構造に限らず、種々の排水案内構造を採用することができる。
【００３８】
前述の実施形態では、アダプタ部材９を帯状部材７の上に置いた状態で管側連結部９Ａの縦向き中心軸芯Ｐ周りに回転させることで、溝側連結部９Ｃを帯状部材７の側の連結用係合部に対し係合連結させてアダプタ部材９を帯状部材７に連結する構成を採るのに、帯状部材側の連結用係合部として排水案内溝６の両側壁部６ａに係合用凹部１８を形成し、そして、溝側連結部９Ｃを排水案内溝６の溝底６ｂに着底させる着底部１６とその着底部１６の両側縁に形成した係合片部１７からなる構造にしたが、帯状部材側の連結用係合部、及び、アダプタ部材９の回転操作で帯状部材側の連結用係合部に対し係合連結させる溝側連結部９Ｃの構造は、前述の実施形態で示した構造に限られるものではなく、例えば、帯状部材側の連結用係合部を排水案内溝６の両側壁部６ａとは異なる箇所で帯状部材７に形成するようにしてもよい。
【００３９】
また、前述の実施形態では、帯状部材側の連結用係合部に対し溝側連結部９Ｃを係合させる位置を帯状部材７の長手方向において選択可能にするのに、帯状部材側の連結用係合部としての係合用凹部１８を帯状部材７の長手方向に連続的させた状態（すなわち、溝状）に形成したが、これに代え、帯状部材側の連結用係合部（例えば、係合用凹部１８）を帯状部材７の長手方向に複数並べた状態に形成するようにしてもよい。
【００４０】
そしてまた、帯状部材７に対するアダプタ部材９の連結構造は、アダプタ部材９の回転により溝側連結部９Ｃを帯状部材側の連結用係合部に係合させる構造に限られるものではなく、ドレン管４の縦姿勢管端部４ａに対し管径方向の外側から装着用開口１０を通じて管側連結部９Ａを外嵌状に装着する操作にとって支障が無い構造であれば、種々の連結構造を採用することができる。
【００４１】
対象とするドレン管４は、エアコン室内機２からのドレン排水を導くものに限らず、どのような機器・設備からのドレン排水を導くものであってもよく、また、そのドレン管４の施設箇所もマンションのベランダ部における外壁に限らず、ドレン管４による排水案内を要する箇所であれば、どのような箇所であってもよい。
【００４２】
なお、本発明で云う下向き施設のドレン管とは、全長にわたって下向きに施設されたドレン管に限られるものではなく、管端部の近傍部分のみが下向きに施設されたドレン管であってもよい。
【産業上の利用可能性】
【００４３】
本発明は、マンションのベランダ部など、下向きに施設されたドレン管からの排出水の床面上案内が必要な種々の場所に適用できる。
【図面の簡単な説明】
【００４４】
【図１】ドレン排水案内構造の施設状態を示す斜視図
【図２】アダプタ部材の側面図
【図３】アダプタ部材の底面図
【図４】アダプタ部材の側面視断面図
【図５】アダプタ部材の平面視断面図
【図６】帯状部材の横断面図
【図７】別実施形態を示すアダプタ部材の側面図
【図８】別実施形態を示すアダプタ部材の平面視断面図
【図９】従来例を示す斜視図
【図１０】従来例を示す断面図
【図１１】他の従来例を示す斜視図
【符号の説明】
【００４５】
３ａ        床面
４          ドレン管
４ａ        管端部
６          排水案内溝
６ａ        側壁部
６ｂ        溝底
７          帯状部材
９          アダプタ部材
９Ａ        管側連結部
９Ｂ        流出案内部
９Ｃ        溝側連結部
１０        装着用開口
１６        着底部
１７        係止片部
１８        帯状部材側の連結用係合部，係合用凹部
Ｐ          縦向き中心軸芯
【図１】
2005213936.tif 000003
【図２】
2005213936.tif 000004
【図３】
2005213936.tif 000005
【図４】
2005213936.tif 000006
【図５】
2005213936.tif 000007
【図６】
2005213936.tif 000008
【図７】
2005213936.tif 000009
【図８】
2005213936.tif 000010
【図９】
2005213936.tif 000011
【図１０】
2005213936.tif 000012
【図１１】
2005213936.tif 000013